(57)【要約】      （修正有）【課題】ユーザが複数の印刷パターンを作成する際の手間を省くことができる技術を提供する。【解決手段】印刷装置において印刷する印刷内容の印刷パターンを作成する印刷制御装置のコンピュータプログラムであって、１つ以上の項目によって構成される個人情報を取得し、複数種類の印刷フォーマットに合わせて、取得された個人情報を構成する各項目の少なくとも１つから印刷パターンを少なくとも１つ作成する処理を実行させる。【選択図】図７
2020047040.tif 000002
【特許請求の範囲】
【請求項１】
印刷装置において印刷する印刷内容の印刷パターンを作成する印刷制御装置のコンピュータに、
１以上の項目によって構成される識別情報を取得し、
複数種類の印刷フォーマットに合わせて、前記取得された前記識別情報を構成する前記項目の少なくとも１つから前記印刷パターンを少なくとも１つ作成する
処理を実行させることを特徴とするプログラム。
【請求項２】
前記識別情報として複数の個人情報を取得し、
前記作成した少なくとも１つの印刷パターンから選択された前記印刷パターンの印刷フォーマットに合わせて、前記取得された前記個人情報を構成する前記項目の少なくとも１つを前記複数の個人情報毎に配置して、前記印刷パターンを複数作成する
処理を実行させることを特徴とする請求項１に記載のプログラム。
【請求項３】
印刷装置において印刷する印刷内容の印刷パターンを作成する印刷制御装置のコンピュータに、
印刷フォーマットを取得し、
１以上の項目によって構成される複数の識別情報を取得し、
前記取得された前記印刷フォーマットに合わせて、前記取得された前記識別情報を構成する項目の少なくとも１つを前記複数の識別情報毎に配置して、前記印刷パターンを複数作成する
処理を実行させることを特徴とするプログラム。
【請求項４】
前記取得する前記識別情報は、少なくとも個人の姓または名前を含む
ことを特徴とする請求項１〜３のうち何れかに記載のプログラム。
【請求項５】
前記印刷フォーマットは、文字またはキャラクタのサイズ、種別、レイアウト、装飾のうち少なくとも１つ以上の組み合わせにより構成される
ことを特徴とする請求項１〜４のうち何れかに記載のプログラム。
【請求項６】
前記作成された少なくとも１つの印刷パターンに基づき、前記印刷装置に対し一括して印刷処理を実行させる
ことを特徴とする請求項１〜５のうち何れかに記載のプログラム。
【請求項７】
ユーザの操作に基づき、前記印刷フォーマットを編集する
処理を実行させることを特徴とする請求項１〜６のうち何れかに記載のプログラム。
【請求項８】
印刷装置において印刷する印刷内容の印刷パターンを作成する印刷制御装置の制御方法であって、
１以上の項目によって構成される識別情報を取得し、
複数種類の印刷フォーマットに合わせて、前記取得された前記識別情報を構成する前記項目の少なくとも１つから前記印刷パターンを少なくとも１つ作成する
ことを特徴とする印刷制御装置の制御方法。
【請求項９】
印刷装置において印刷する印刷内容の印刷パターンを作成する印刷制御装置の制御方法であって、
印刷フォーマットを取得し、
１以上の項目によって構成される複数の識別情報を取得し、
前記取得された前記印刷フォーマットに合わせて、前記取得された前記識別情報を構成する前記項目の少なくとも１つを前記複数の識別情報毎に配置して、前記印刷パターンを複数作成する
ことを特徴とする印刷制御装置の制御方法。
【請求項１０】
１以上の項目によって構成される識別情報を取得する識別情報取得手段と、
複数種類の印刷フォーマットに合わせて、前記取得された前記識別情報を構成する前記項目の少なくとも１つから印刷パターンを少なくとも１つ作成する作成手段と、
を備えることを特徴とする印刷装置。
【請求項１１】
１以上の項目によって構成される複数の識別情報を取得する識別情報取得手段と、
印刷フォーマットに合わせて、前記取得された前記識別情報を構成する項目の少なくとも１つを前記複数の識別情報毎に配置して、印刷パターンを複数作成する作成手段と、
を備えることを特徴とする印刷装置。
【発明の詳細な説明】
【技術分野】
【０００１】
本明細書は、プログラム、制御方法、及び、印刷装置に関する。
【背景技術】
【０００２】
従来から、被印刷媒体に文字等の印刷を行い、文字等が印刷された印刷テープ片（ラベル）を作成する印刷装置が知られている。
【０００３】
このような印刷装置において、印刷フォーマットに基づき印刷パターンを作成して印刷を行う印刷装置がある（例えば、特許文献１参照）。
【先行技術文献】
【特許文献】
【０００４】
【特許文献１】特開２００２−２６４４２４号公報
【発明の概要】
【発明が解決しようとする課題】
【０００５】
しかしながら、複数種類の印刷フォーマットに基づき印刷パターンを作成して印刷を行いたい場合、ユーザは、印刷フォーマット毎に複数回印刷パターンを作成しなければならず、印刷パターンを作成する手間がかかり煩雑であった。
また、複数人の氏名等の個人情報に基づき印刷パターンを作成して印刷を行いたい場合であっても、ユーザは、個人情報毎に複数回印刷パターンを作成しなければならず、印刷パターンを作成する手間がかかり煩雑であった。
【０００６】
以上のような実情を踏まえ、本発明の一側面に係る目的は、ユーザが複数の印刷パターンを作成する際の手間を省くことができる技術を提供することである。
【課題を解決するための手段】
【０００７】
本発明の一態様に係るプログラムは、印刷装置において印刷する印刷内容の印刷パターンを作成する印刷制御装置のコンピュータに、１以上の項目によって構成される識別情報を取得し、複数種類の印刷フォーマットに合わせて、前記取得された前記識別情報を構成する前記項目の少なくとも１つから前記印刷パターンを少なくとも１つ作成する処理を実行させることを特徴とする。
【０００８】
本発明の一態様に係るプログラムは、印刷装置において印刷する印刷内容の印刷パターンを作成する印刷制御装置のコンピュータに、印刷フォーマットを取得し、１以上の項目によって構成される複数の識別情報を取得し、前記取得された前記印刷フォーマットに合わせて、前記取得された前記識別情報を構成する項目の少なくとも１つを前記複数の識別情報毎に配置して、前記印刷パターンを複数作成する処理を実行させることを特徴とする。
【０００９】
本発明の一態様に係る制御方法は、印刷装置において印刷する印刷内容の印刷パターンを作成する印刷制御装置の制御方法であって、１以上の項目によって構成される識別情報を取得し、複数種類の印刷フォーマットに合わせて、前記取得された前記識別情報を構成する前記項目の少なくとも１つから前記印刷パターンを少なくとも１つ作成することを特徴とする。
【００１０】
本発明の一態様に係る制御方法は、印刷装置において印刷する印刷内容の印刷パターンを作成する印刷制御装置の制御方法であって、印刷フォーマットを取得し、１以上の項目によって構成される複数の識別情報を取得し、前記取得された前記印刷フォーマットに合わせて、前記取得された前記識別情報を構成する前記項目の少なくとも１つを前記複数の識別情報毎に配置して、前記印刷パターンを複数作成することを特徴とする。
【００１１】
本発明の一態様に係る印刷装置は、１以上の項目によって構成される識別情報を取得する識別情報取得手段と、複数種類の印刷フォーマットに合わせて、前記取得された前記識別情報を構成する前記項目の少なくとも１つから印刷パターンを少なくとも１つ作成する作成手段と、を備えることを特徴とする。
【００１２】
本発明の一態様に係る印刷装置は、１以上の項目によって構成される複数の識別情報を取得する識別情報取得手段と、印刷フォーマットに合わせて、前記取得された前記識別情報を構成する項目の少なくとも１つを前記複数の識別情報毎に配置して、印刷パターンを複数作成する作成手段と、を備えることを特徴とする。
【発明の効果】
【００１３】
上記の態様によれば、ユーザが複数の印刷パターンを作成する際の手間を省くことができる。
【図面の簡単な説明】
【００１４】
【図１】第１の実施形態に係る印刷装置１と印刷制御装置５０を含む印刷システム１００の構成を例示した図である。
【図２】印刷装置１の開閉蓋３を開放した状態の斜視図である。
【図３】印刷装置１と印刷制御装置５０のハードウェア構成を示したブロック図である。
【図４】表示部５１に表示した個人情報登録受付画面の一例を示す図である。
【図５】ＲＯＭ５５に登録された個人情報のリストを表す個人情報リスト画面の一例を示す図である。
【図６】表示部５１に表示した複数フォーマット印刷パターン表示画面の一例を示す図である。
【図７】第１の実施形態の印刷制御装置５０の印刷パターン作成処理のフローチャートである。
【図８】表示部５１に表示した複数個人情報印刷パターン表示画面の一例を示す図である。
【図９】第２の実施形態の印刷制御装置５０の印刷パターン作成処理のフローチャートである。
【発明を実施するための形態】
【００１５】
［第１の実施形態］
図１は、第１の実施形態に係る印刷装置１と印刷制御装置を含む印刷システムの構成を例示した図である。図２は、印刷装置１の開閉蓋３を開放した状態の斜視図である。図１に示す印刷システム１００は、印刷装置１と、印刷装置１へ印刷パターン（印刷データ）を送信する印刷制御装置５０と、を含んでいる。印刷装置１と印刷制御装置５０は、無線通信または有線通信でデータをやり取りする。印刷装置１は、被印刷媒体Ｍに印刷を行う印刷装置である。
【００１６】
なお、第１の実施形態において、被印刷媒体Ｍ（印刷テープ）の搬送される方向を「搬送方向Ｘ」とし、この搬送方向Ｘに直交する被印刷媒体Ｍ（印刷テープ）の幅方向を「媒体幅方向Ｙ」とする。これらＸ方向、及びＹ方向は、互いに直交する。
印刷装置１は、被印刷媒体Ｍに印刷を行うサーマルヘッド（印刷部）を備える印刷装置であり、例えば、長尺な帯状の被印刷媒体Ｍに、シングルパス方式で印刷を行うラベルプリンタである。印刷装置１に使用される被印刷媒体Ｍは、例えば、基材と、基材に塗布された粘着材（のり面）と、粘着材を介して基材に対し剥離可能に貼り付けられた剥離紙と、を有する長尺状のテープ部材である。なお、被印刷媒体Ｍは、剥離紙なしの長尺状のテープ部材であってもよい。
【００１７】
図１、図２に示すように、印刷装置１は、装置筐体２と、この装置筐体２に開閉自在に取り付けられた開閉蓋３を備える。図２に示すように、装置筐体２は、内部にテープカセット３０を収納するカセット収納部１９を備えている。
装置筐体２の上面には、電源ボタン２５の他、各種操作を行う操作ボタン２６ａ，２６ｂ，２６ｃ（以下、「操作ボタン２６」と呼ぶ）、開閉蓋３を開放させる蓋開閉ボタン２７等が配置されている。図示せぬ電池またはアダプタが接続されている状態で電源ボタン２５が押下されると、電源回路４０（図３参照）に信号が送られて印刷装置１の電源がＯＮになる。そして、電源がＯＮの状態で、再び電源ボタン２５が押下されると、電源回路４０に信号が送られて印刷装置１の電源がＯＦＦになる。また、操作ボタン２６が押下されると、制御回路５（図３参照）に信号が送られて、各ボタンに応じた処理が行われる。
また、図示しないが、装置筐体２には、外部機器接続端子、記憶媒体挿入口等が設けられている。
【００１８】
開閉蓋３は、カセット収納部１９の上部を覆うように開閉可能に配置されている。
また、開閉蓋３には、この開閉蓋３が閉じた状態でもカセット収納部１９にテープカセット３０（図２参照）が収納されているか否かを目視で確認可能とするために、窓３ａが形成されている。
また、装置筐体２の側面であって、被印刷媒体Ｍの搬送方向Ｘの下流側に位置する部分には、排出口２ａが形成されている。印刷装置１内でサーマルヘッド１０による印刷が行われた被印刷媒体Ｍは、排出口２ａから装置外へ排出される。
【００１９】
また、カセット収納部１９には、テープカセット３０が収容するテープ（被印刷媒体Ｍ）の幅を検出するためのテープ幅検出スイッチ２４が設けられている。
【００２０】
テープ幅検出スイッチ２４は、テープカセット３０の形状に基づいて被印刷媒体Ｍの幅（以下、「印刷テープ幅」ともいう）を検出するためのスイッチである。テープ幅検出スイッチ２４は、カセット収納部１９に複数設けられている。印刷テープ幅の異なるテープカセット３０は、複数のテープ幅検出スイッチ２４をそれぞれ異なる組み合わせで押下するように構成されている。これにより、後述する制御回路５（図３参照）が、押下されたテープ幅検出スイッチ２４の組み合わせから、テープカセット３０の種類を特定し、被印刷媒体Ｍの幅（印刷テープ幅）を検出する。
【００２１】
カセット収納部１９には、さらに、複数の発熱素子を有し、被印刷媒体Ｍに印刷を行うサーマルヘッド１０と、被印刷媒体Ｍを搬送する搬送機構であるプラテンローラ２１が設けられている。
【００２２】
サーマルヘッド１０は、被印刷媒体Ｍに印刷を行う印刷部である。サーマルヘッド１０は、被印刷媒体Ｍの搬送方向に直交する主走査方向に配列された複数の発熱素子１０ａ（図３参照）を有し、発熱素子１０ａを加熱することにより被印刷媒体Ｍに一ラインずつ印刷を行う。
【００２３】
プラテンローラ２１は、被印刷媒体Ｍを搬送する搬送部である。プラテンローラ２１は、ステッピングモータ１２（図３参照）の回転により回転する。なお、ステッピングモータ１２の代わりに、直流（ＤＣ）モータなど他のモータが用いられても良い。プラテンローラ２１は、テープカセット３０から繰り出された被印刷媒体Ｍをサーマルヘッド１０との間に狭持しながら回転することで、被印刷媒体Ｍを搬送方向に搬送する。
【００２４】
サーマルヘッド１０とプラテンローラ２１の間を通過した印刷済みの被印刷媒体Ｍは、ハーフカット機構１６またはフルカット機構１７で切断され、排出口２ａから排出される。なお、排出口２ａは、被印刷媒体Ｍの被印刷面が、印刷装置１が載置された面と直交するように被印刷媒体Ｍを排出する。
【００２５】
図３は、印刷装置１と印刷制御装置５０のハードウェア構成を示したブロック図である。印刷装置１は、上述した構成に加えて、図３に示すように、制御回路５、ＲＯＭ（Read Only Memory）６、ＲＡＭ（Random Access Memory）７、通信インターフェース（ＩＦ）８、ヘッド駆動回路９、搬送用モータ駆動回路１１（搬送装置）、ステッピングモータ１２、サーミスタ１３、カッターモータ駆動回路１４、カッターモータ１５、及び、電源回路４０を備える。なお、少なくとも制御回路５、ＲＯＭ６、及びＲＡＭ７は、印刷装置１のコンピュータを構成する。
【００２６】
制御回路５は、例えばＣＰＵ（Central Processing Unit）などのプロセッサ５ａを含む。制御回路５は、ＲＯＭ６に記憶されているプログラムをＲＡＭ７に展開し実行することで、印刷装置１の各部の動作を制御する。通信インターフェース８は、有線通信または無線通信により外部装置（例えば、印刷制御装置５０）との間でデータを授受する。
【００２７】
制御回路５は、例えば、制御信号（ストローブ信号、ラッチ信号、クロック信号）と印刷データをヘッド駆動回路９へ供給し、ヘッド駆動回路９を介してサーマルヘッド１０を制御する。また、制御回路５は、モータ駆動回路（搬送用モータ駆動回路１１、カッターモータ駆動回路１４）を介してモータ（ステッピングモータ１２、カッターモータ１５）を制御する。
【００２８】
制御回路５は、被印刷媒体Ｍに印刷する印刷内容の情報を示す印刷パターン（印刷データ）を印刷制御装置５０から受信する。受信した印刷パターンには、印刷パターンを構成するドットの情報を含む。印刷パターンは印刷対象の文字やキャラクタ等の印刷イメージの画像データを表す。印刷パターンは、印刷制御装置５０が印刷フォーマットに合わせて個人情報を配置することにより作成される。印刷パターン及び個人情報については後述する。
【００２９】
ＲＯＭ６は、被印刷媒体Ｍに印刷を行う印刷プログラム、印刷プログラムの実行に必要な各種データ（例えば、フォント等）を記憶する。ＲＯＭ６は、制御回路５によって読取り可能なプログラムが記憶された記憶媒体としても機能する。ＲＯＭ６は、電源ＯＦＦ時にもデータを保持して記憶できるフラッシュメモリにより構成されている。ＲＡＭ７は、印刷内容のパターンを示す印刷パターン（印刷データ）を記憶する印刷データ記憶部を含む。ＲＡＭ７は、表示データを記憶する表示データ記憶部を含む。通信インターフェース８は、有線通信または無線通信により外部装置（例えば、印刷制御装置５０）や外部サーバの記憶装置との間で印刷データを授受する。
【００３０】
ヘッド駆動回路９は、制御回路５から供給された制御信号と印刷データに基づいてサーマルヘッド１０を駆動する。サーマルヘッド１０は、主走査方向に配列された複数の発熱素子１０ａを有する印刷ヘッドである。ヘッド駆動回路９が、制御回路５から供給されたストローブ信号により指定される通電期間中に、ヘッド駆動回路９から出力された印刷データに応じて複数の発熱素子１０ａへ電流を選択的に流すことで、複数の発熱素子１０ａのうち選択された発熱素子１０ａが発熱してインクリボンを加熱する。これにより、サーマルヘッド１０は、熱転写により被印刷媒体Ｍに１ラインずつ印刷を行う。即ち、印刷装置１は、サーマルラインプリンタである。サーミスタ１３は、サーマルヘッド１０の温度を測定するヘッド温度測定部である。
【００３１】
搬送用モータ駆動回路１１は、ステッピングモータ１２を駆動する。ステッピングモータ１２は、プラテンローラ２１を回転させる。プラテンローラ２１は、ステッピングモータ１２の動力によって回転し、被印刷媒体Ｍの長手方向（副走査方向、搬送方向）に被印刷媒体Ｍを搬送する搬送機構である。
【００３２】
カッターモータ駆動回路１４は、カッターモータ１５を駆動する。ハーフカット機構１６及びフルカット機構１７は、カッターモータ１５の動力によって動作し、被印刷媒体Ｍをハーフカットまたはフルカットにより切断する。フルカットとは、被印刷媒体Ｍの基材を剥離紙とともに幅方向に沿って切断する動作のことであり、ハーフカットは、基材のみを幅方向に沿って切断する動作のことである。
電源回路４０は、図示せぬ電池またはアダプタからの直流電圧から出力電圧を生成し、印刷装置１の各部に電力を供給する電源部である。
【００３３】
印刷制御装置５０は、図１及び図３に示すように、表示部５１と入力部５２を備える、印刷制御装置５０は、例えば、スマートフォン、タブレット端末などの携帯型のコンピュータである。表示部５１は、例えば、液晶ディスプレイであっても、有機エレクトロルミネッセンス（有機ＥＬ）ディスプレイであってもよい。入力部５２は、例えば、タッチパネルである。
【００３４】
印刷制御装置５０は、上述の構成に加えて、表示駆動回路５３、通信インターフェース（ＩＦ）５４、ＲＯＭ５５、ＲＡＭ５６、制御回路５７を備える。表示駆動回路５３は、例えば、液晶表示ドライバ回路、有機ＥＬ表示ドライバ回路である。制御回路５７は、プロセッサ５８を備える。プロセッサ５８は、演算部であり、アプリケーションプログラムを実行することで、印刷装置１において印刷する印刷内容の印刷パターンを表示部５１に表示したり、入力部５２に対するユーザの操作を受け付けたりする。制御回路５７は、ＲＯＭ５５に記憶されているプログラムをＲＡＭ５６に展開し実行することで、印刷制御装置５０の各部の動作を制御する。
【００３５】
ＲＯＭ５５は、被印刷媒体Ｍに印刷を行う印刷プログラム、印刷プログラムの実行に必要な各種データ（例えば、フォント等）を記憶する。また、ＲＯＭ５５は、少なくとも１以上の識別情報（個人情報）を記憶する。個人情報は、ユーザの操作に基づき予めＲＯＭ５５に登録される。個人情報は、少なくとも個人の姓または名前の項目を含む。これにより、個人を特定する最低限の情報が登録される。制御回路５７は、入力部５２に対するユーザの操作に基づき個人情報の登録を受け付ける。図４は、表示部５１に表示した個人情報登録受付画面の一例を示す図である。図４（ａ）は、個人情報登録受付画面の初期画面であり、図４（ｂ）は、図４（ａ）の画面を下方向にスライドした状態の画面である。
【００３６】
図４に示すように、個人情報は、個人の姓６１ａ、名前（名）６１ｂ、よみがな（姓）６１ｃ、よみがな（名）６１ｄ、ローマ字（姓）６１ｅ、ローマ字（名）６１ｆ、在籍場所（学校、保育園、幼稚園）６１ｇ、所属クラス（年、組）６１ｈ、個人を表すキャラクタ６１ｉのうち少なくとも１つ以上の項目を含む。ユーザが、図４の個人情報登録受付画面に表示されている個人情報を構成する各項目に入力した後、保存ボタン６２を選択することにより、入力した個人情報が登録される。なお、個人情報については、図４に列挙した項目に限定されるものではない。例えば、個人情報は、個人の生年月日、性別、住所等の項目を含んでいてもよい。また、例えば、個人が会社員である場合には、個人情報は、個人が在籍する会社名、所属部署、個人の役職等の項目を含んでいてもよい。
【００３７】
図４の個人情報登録受付画面で登録を受け付けた各個人情報は、ＲＯＭ５５に登録される。個人情報は、少なくとも１つ以上の項目によって構成される。図５は、ＲＯＭ５５に登録された個人情報のリストを表す個人情報リスト画面の一例を示す図である。個人情報リスト画面には、少なくとも個人の姓または名前（名）の情報が表示される。図５の例では、個人情報リスト画面には、図４の個人情報登録受付画面で登録した個人の姓６１ａ、名前（名）６１ｂ及びをキャラクタ６１ｉが、個人情報毎に、個人情報欄６５ａ〜６５ｃに表示される。
【００３８】
ユーザが、図５の個人情報リスト画面に表示されている個人情報欄６５ａ〜６５ｃのうち、所望の個人情報を選択した後、編集ボタン６６を選択すると、制御回路５７は、図４の個人情報登録受付画面を表示部５１に表示する。これにより、ユーザは選択した個人情報を構成する各項目の編集を行うことができる。また、ユーザが図５の個人情報リスト画面に表示されている「お名前を追加ボタン」６７を選択すると、制御回路５７は、図４の個人情報登録受付画面を表示部５１に表示する。これにより、ユーザは、新規の個人情報の登録を行うことができる。制御回路５７は、ＲＯＭ５５に登録されている識別情報（個人情報）の中から、入力部５２に対するユーザの操作に基づき選択された個人情報を取得する。この場合、制御回路５７は、識別情報取得部（識別情報取得手段）として機能する。
【００３９】
また、ＲＯＭ５５は、複数の印刷フォーマットを記憶する。複数の印刷フォーマットは、プログラムのインストール時に予めＲＯＭ５５に登録される。また、制御回路５７は、入力部５２に対するユーザの操作に基づき印刷フォーマットの登録を受け付けることもできる。
【００４０】
印刷フォーマットは、文字またはキャラクタのサイズ、種別、レイアウト、装飾のうち少なくとも１つ以上の組み合わせにより構成される。文字またはキャラクタのサイズは、フォントサイズである。文字またはキャラクタの種別には、図４に示す個人情報に含まれる個人の姓６１ａ、名前（名）６１ｂ、よみがな（姓）６１ｃ、よみがな（名）６１ｄ、ローマ字（姓）６１ｅ、ローマ字（名）６１ｆ、在籍場所（学校、保育園、幼稚園）６１ｇ、所属クラス（年、組）６１ｈ、個人を表すキャラクタ６１ｉの項目が含まれる。文字またはキャラクタのレイアウトには、文字またはキャラクタの種別毎の配列や配置が含まれる。文字またはキャラクタの装飾には、フォント種類も含まれる。制御回路５７は、複数種類の印刷フォーマットに合わせて、個人情報を構成する各項目の少なくとも１つから印刷パターンを少なくとも１つ、好ましくは、複数作成する。印刷フォーマットは様々な組み合わせにより構成されるため、バリエーションが豊かな複数の印刷パターンが作成される。制御回路５７は、作成した複数の印刷パターンを表示部５１に表示する。
【００４１】
図６は、表示部５１に表示した複数フォーマット印刷パターン表示画面の一例を示す図である。図６（ａ）は、複数フォーマット印刷パターン表示画面の初期画面であり、図６（ｂ）は、図６（ａ）の画面を下方向にスライドした状態の画面である。図６に示すように、複数フォーマット印刷パターン表示画面には、複数の印刷パターン７１ａ〜７１ｋが表示されている。各印刷パターン７１ａ〜７１ｋの右方には印刷選択欄７２が表示されている。また、各印刷パターン７１ａ〜７１ｋの上方には、各印刷パターン７１ａ〜７１ｋに基づき印刷した場合の印刷テープ長がそれぞれ表示されている。制御回路５７は、テープ幅に対応する複数の印刷フォーマットに合わせて少なくとも１つ、好ましくは、複数の印刷パターンを作成する。この場合、制御回路５７は、作成部（作成手段）として機能する。テープ幅の情報は、印刷装置１と有線通信または無線通信で接続した際に所定のタイミングで印刷装置１から送信される。図６の例では、制御回路５７は、１２ｍｍのテープ幅に対応する印刷フォーマットに合わせて作成された複数の印刷フォーマットが表示部５１に表示されている。
【００４２】
例えば、印刷パターン７１ｂは、図４の個人のキャラクタ６１ｉ、よみがな（姓）６１ｃ及びよみがな（名）６１ｄの項目がこの順番で、かつ、同じフォントサイズで繋がった印刷フォーマットに合わせて個人情報の各項目を配置して作成された印刷パターンである。同様に、印刷パターン７１ｉは、図４の個人のキャラクタ６１ｉの項目が大きいフォントサイズで配置され、所属クラス（組）６１ｈの項目が上方に小さく配置され、よみがな（名）６１ｄの項目がその下に配置された印刷フォーマットに合わせて個人情報の各項目を配置して作成された印刷パターンである。
【００４３】
ユーザが入力部５２を通じて表示部５１の各印刷パターン７１ａ〜７１ｋの右方に配置されている印刷選択欄７２を選択し、一括印刷ボタン７３を選択すると、制御回路５７は、選択された複数の印刷パターンに基づき印刷装置１に対し一括して印刷処理を実行させる。
【００４４】
ＲＯＭ５５は、制御回路５７によって読取り可能なプログラムが記憶された記憶媒体としても機能する。ＲＯＭ５５は、電源ＯＦＦ時にもデータを保持して記憶できるフラッシュメモリにより構成されている。ＲＡＭ５６は、印刷内容のパターンを示す印刷パターン（印刷データ）を記憶する印刷データ記憶部を含む。ＲＡＭ５６は、表示データを記憶する表示データ記憶部を含む。通信インターフェース５４は、有線通信または無線通信により外部装置（例えば、印刷装置１）との間でデータを授受する。
【００４５】
図７を参照して、第１の実施形態の印刷制御装置５０の印刷パターン作成処理について説明する。図７は、第１の実施形態の印刷制御装置５０の印刷パターン作成処理のフローチャートである。
【００４６】
第１の実施形態の印刷パターン作成処理では、制御回路５７は、印刷準備開始の指示に基づき印刷制御装置５０のアプリケーションプログラムを実行して、図７に示す印刷パターン作成処理を開始する。制御回路５７は、印刷パターン作成処理の開始時に印刷装置１と無線通信を行い、印刷装置１から送信された、印刷装置１に装着されている印刷テープ幅の情報を受信する。
制御回路５７は、ＲＯＭ５５に登録されている個人情報の中から、入力部５２に対するユーザの操作に基づき選択された個人情報を取得する（ステップＳ１０１）。制御回路５７は、ＲＯＭ５５に登録された複数の印刷フォーマットを参照し、一つの印刷フォーマットを取得する（ステップＳ１０２）。
【００４７】
制御回路５７は、ステップＳ１０２で取得した印刷フォーマットに含まれる個人情報の項目がステップＳ１０１で取得した個人情報にあるか否か判定する（ステップＳ１０３）。この処理では、例えば、印刷フォーマットの構成に、図４のローマ字（姓）６１ｅ及びローマ字（名）６１ｆの項目が含まれている場合、ステップＳ１０１で取得した個人情報にローマ字（姓）６１ｅ及びローマ字（名）６１ｆの項目が含まれているか否かが判定される。ステップＳ１０２で取得した印刷フォーマットに含まれる個人情報の項目がステップＳ１０１で取得した個人情報にある場合（ステップＳ１０３のＹＥＳ）には、制御回路５７は、ステップＳ１０２で取得した印刷フォーマットに合わせて、ステップＳ１０１で取得した個人情報の項目を配置して、印刷パターンを作成する（ステップＳ１０４）。その後、処理はステップＳ１０５に進む。ステップＳ１０２で取得した印刷フォーマットに含まれる個人情報の項目がステップＳ１０１で取得した個人情報にない場合（ステップＳ１０３のＮＯ）には、処理はステップＳ１０５に進む。
【００４８】
制御回路５７は、ＲＯＭ５５に登録された複数の印刷フォーマットを参照し、次の印刷フォーマットを取得する（ステップＳ１０５）。制御回路５７は、ステップＳ１０５において印刷フォーマットを参照した結果、ＲＯＭ５５に未取得の印刷フォーマットがあるか否かを判定する（ステップＳ１０６）。未取得の印刷フォーマットがある場合（ステップＳ１０６のＹＥＳ）には、処理はステップＳ１０３に戻り、ＲＯＭ５５に未取得の印刷フォーマットがなくなるまで、制御回路５７はステップＳ１０３〜ステップＳ１０６の処理を繰り返し実行する。
【００４９】
これに対し、未取得の印刷フォーマットがなくなった場合（ステップＳ１０６のＮＯ）には、印刷パターン作成処理は終了となる。印刷パターン作成処理の終了後、制御回路５７は、図６に示すように、作成した複数の印刷パターン７１ａ〜７１ｋを表示部５１に表示する。制御回路５７は、作成した複数の印刷パターン７１ａ〜７１ｋのうち、ユーザが入力部５２を通じて選択した複数の印刷パターンに基づき印刷装置１に対し一括して印刷処理を実行させる。
【００５０】
第１の実施形態では、制御回路５７は、ＲＯＭ５５に登録された複数種類の印刷フォーマットに合わせて、取得した個人情報の各項目を配置して、印刷パターンを複数作成する。これにより、ユーザは、個人情報を選択するだけで、ＲＯＭ５５に登録された複数種類の印刷フォーマットに基づき複数の印刷パターンを作成することができる。したがって、ユーザが複数の印刷パターンを作成する際の手間を省くことが可能となる。
【００５１】
さらに、複数種類の印刷フォーマットに基づいて作成された複数の印刷パターンは、表示部５１に表示されてユーザに提示される。ユーザは、表示部５１に表示された複数の印刷パターンの中から所望の印刷パターンを選択することで、複数の印刷パターンを一括で印刷を行うことができる。したがって、ユーザが一括して印刷する際の手間を省くことができる。
【００５２】
［第２の実施形態］
次に、第２の実施形態について説明する。第２の実施形態の印刷装置１と印刷制御装置５０のハードウェア構成については、第１の実施形態と同様であるため、説明を省略する。第１の実施形態においては、複数種類の印刷フォーマットに合わせて、個人情報を構成する各項目を配置して、印刷パターンを複数作成する処理が行われていた。この点第２の実施形態においては、第１の実施形態において複数作成された印刷パターンのうち、ユーザにより選択された印刷パターンに対応する印刷フォーマットに合わせて、個人情報を構成する各項目を複数の個人情報毎に配置して、印刷パターンを複数作成する処理を行う。
【００５３】
第２の実施形態のＲＯＭ５５は、複数の個人情報を記憶する。個人情報は、ユーザの操作に基づき予めＲＯＭ５５に登録される。個人情報は、少なくとも個人の姓または名前の項目を含む。具体的には、第１の実施形態の図４に示すように、個人情報は、個人の姓６１ａ、名前（名）６１ｂ、よみがな（姓）６１ｃ、よみがな（名）６１ｄ、ローマ字（姓）６１ｅ、ローマ字（名）６１ｆ、在籍場所（学校、保育園、幼稚園）６１ｇ、所属クラス（年、組）６１ｈ、個人を表すキャラクタ６１ｉのうち少なくとも１つ以上の項目を含む。制御回路５７は、入力部５２に対するユーザの操作に基づき個人情報の登録を受け付ける。
【００５４】
図４の個人情報登録受付画面で登録を受け付けた各個人情報は、ＲＯＭ５５に登録される。図５は、ＲＯＭ５５に登録された個人情報のリストを表す個人情報リスト画面の一例を示す図である。個人情報リスト画面については、第１の実施形態の個人情報リスト画面と同様であるため説明を省略する。
【００５５】
第２の実施形態のＲＯＭ５５は、少なくとも１以上の印刷フォーマットを記憶する。印刷フォーマットは、プログラムのインストール時に予めＲＯＭ５５に登録される。また、制御回路５７は、入力部５２に対するユーザの操作に基づき印刷フォーマットの登録を受け付ける。印刷フォーマットの構成については、第１の実施形態と同様であるため説明を省略する。
【００５６】
図６に示す、ユーザの操作に基づき、複数フォーマット印刷パターン表示画面に表示されている各印刷パターン７１ａ〜７１ｋのうち、任意の印刷パターンを選択され、一括印刷指定が行われると、制御回路５７は、選択された印刷パターンに対応する印刷フォーマットに合わせて、個人情報を構成する各項目を複数の個人情報毎に配置して、印刷パターンを複数作成する。例えば、ユーザの入力部５２の操作に基づき、図６の印刷パターン７１ｆが選択されると、印刷パターン７１ｆに対応する印刷フォーマットに合わせて、制御回路５７は、ＲＯＭ５５に登録されている各個人情報を構成する各項目に基づいて印刷パターンを複数作成する。制御回路５７は、作成した複数の印刷パターンを表示部５１に表示する。
【００５７】
図８は、表示部５１に表示した複数個人情報印刷パターン表示画面の一例を示す図である。図８に示すように、複数個人情報印刷パターン表示画面には、複数の印刷パターン８１ａ〜８１ｆが表示されている。各印刷パターン８１ａ〜８１ｆの右方には印刷選択欄８２が表示されている。また、各印刷パターン８１ａ〜８１ｆの上方には、各印刷パターン８１ａ〜８１ｆに基づき印刷した場合の印刷テープ長がそれぞれ表示されている。制御回路５７は、テープ幅に対応する複数の印刷フォーマットに合わせて複数の印刷パターンを作成する。テープ幅の情報は、印刷装置１と有線通信または無線通信で接続した際に所定のタイミングで印刷装置１から送信される。図８の例では、制御回路５７は、１２ｍｍのテープ幅に対応する印刷フォーマットに合わせて作成された複数の印刷フォーマットが表示部５１に表示されている。
【００５８】
例えば、印刷パターン８１ａ〜８１ｆは、図６の複数フォーマット印刷パターン表示画面において、ユーザの選択操作に基づき、印刷パターン７１ｆが選択された場合に作成されて、表示される。すなわち、図６の印刷パターン７１ｆと、印刷パターン８１ａ〜８１ｆとは同じフォーマットに基づき作成された印刷パターンである。印刷パターン７１ｆの印刷フォーマットは、所属クラス（組）６１ｈ、よみがな（姓）６１ｃ及びよみがな（名）６１ｄの項目がこの順番で、よみがな（姓）６１ｃ及びよみがな（名）６１ｄの項目のフォントサイズが、所属クラス（組）６１ｈの項目のフォントサイズよりも大きいサイズで組み合わされて構成されている。したがって、印刷パターン８１ａ〜８１ｆの印刷フォーマットも、所属クラス（組）６１ｈ、よみがな（姓）６１ｃ及びよみがな（名）６１ｄの項目がこの順番で、よみがな（姓）６１ｃ及びよみがな（名）６１ｄの項目のフォントサイズが、所属クラス（組）６１ｈの項目のフォントサイズよりも大きいサイズで組み合わされて構成されている。
【００５９】
ユーザが入力部５２を通じて表示部５１の各印刷パターン８１ａ〜８１ｆの右方に配置されている印刷選択欄８２を選択し、一括印刷ボタン８３を選択すると、制御回路５７は、選択された印刷パターンに基づき印刷装置１に対し一括して印刷処理を実行させる。
【００６０】
図９を参照して、第２の実施形態の印刷制御装置５０の印刷パターン作成処理について説明する。図９は、第２の実施形態の印刷制御装置５０の印刷パターン作成処理のフローチャートである。
【００６１】
第２の実施形態の印刷パターン作成処理では、制御回路５７は、印刷準備開始の指示に基づき印刷制御装置５０のアプリケーションプログラムを実行して、図９に示す印刷パターン作成処理を開始する。制御回路５７は、印刷パターン作成処理の開始時に印刷装置１と無線通信を行い、印刷装置１から送信された、印刷装置１に装着されている印刷テープ幅の情報を受信する。
【００６２】
制御回路５７は、ユーザの操作に基づき選択された印刷パターンに対応する印刷フォーマットが取得される。この処理では、例えば、制御回路５７は、図６の複数フォーマット印刷パターン表示画面に基づいて、ユーザが選択した印刷パターンを受け付け、受け付けた印刷パターンに対応する印刷フォーマットを取得する。制御回路５７は、ＲＯＭ５５に登録されている個人情報を参照し、一つの個人情報を取得する（ステップＳ２０２）。制御回路５７は、ステップＳ２０１で取得した印刷フォーマットに合わせて、ステップＳ２０２で取得した個人情報の項目を配置して、印刷パターンを作成する（ステップＳ２０３）。
【００６３】
制御回路５７は、ユーザが入力部５２を通じて一括印刷指定を行ったか否かを判定する（ステップＳ２０４）。一括印刷指定が行われていない場合（ステップＳ２０４のＮＯ）には、印刷パターン作成処理は終了となる。一括印刷指定が行われていない場合には、印刷パターン作成処理の終了後、制御回路５７は、ステップＳ２０３で作成した印刷パターンのみを表示部５１に表示する。
【００６４】
これに対し、一括印刷指定が行われた場合（ステップＳ２０４のＹＥＳ）には、制御回路５７は、ＲＯＭ５５に登録された複数の個人情報を参照し、次の個人情報を取得する（ステップＳ２０５）。制御回路５７は、ステップＳ２０５において個人情報を参照した結果、ＲＯＭ５５に未取得の個人情報があるか否かを判定する（ステップＳ２０６）。
【００６５】
未取得の個人情報がある場合（ステップＳ２０６のＹＥＳ）には、制御回路５７は、ステップＳ２０１で取得した印刷フォーマットに含まれる個人情報の項目がステップＳ２０５で取得した個人情報にあるか否か判定する（ステップＳ２０７）。
【００６６】
ステップＳ２０１で取得した印刷フォーマットに含まれる個人情報の項目がステップＳ２０５で取得した個人情報にある場合（ステップＳ２０７のＹＥＳ）には、制御回路５７は、ステップＳ２０１で取得した印刷フォーマットに合わせて、ステップＳ２０５で取得した個人情報の項目を配置して、印刷パターンを作成する（ステップＳ２０８）。その後、処理はステップＳ２０５に戻る。ステップＳ２０１で取得した印刷フォーマットに含まれる個人情報の項目がステップＳ２０５で取得した個人情報にない場合（ステップＳ２０７のＮＯ）には、処理はステップＳ２０５に戻る。したがって、ＲＯＭ５５に未取得の個人情報がなくなるまで、制御回路５７はステップＳ２０５〜ステップＳ２０８の処理を繰り返し実行する。そして、未取得の個人情報がなくなった場合（ステップＳ２０６のＮＯ）には、印刷パターン作成処理は終了となる。
【００６７】
印刷パターン作成処理の終了後、制御回路５７は、図８に示すように、作成した複数の印刷パターン８１ａ〜８１ｆを表示部５１に表示する。制御回路５７は、作成した複数の印刷パターン８１ａ〜８１ｆのうち、ユーザが入力部５２を通じて選択した複数の印刷パターンに基づき印刷装置１に対し一括して印刷処理を実行させる。
【００６８】
第２の実施形態では、制御回路５７は、選択された印刷パターンの印刷フォーマットに合わせて、ＲＯＭ５５に登録された個人情報を構成する各項目を複数の個人情報毎に配置して、印刷パターンを複数作成する。これにより、ユーザは、印刷フォーマットを選択するだけで、ＲＯＭ５５に登録された複数の個人情報に基づき複数の印刷パターンを作成することができる。したがって、ユーザが複数の印刷パターンを作成する際の手間を省くことが可能となる。
【００６９】
さらに、複数の個人情報に基づいて作成された複数の印刷パターンは、表示部５１に表示されてユーザに提示される。ユーザは、表示部５１に表示された複数の印刷パターンの中から所望の印刷パターンを選択することで、複数の印刷パターンを一括で印刷を行うことができる。したがって、ユーザが一括して印刷する際の手間を省くことができる。
【００７０】
第２の実施形態では、第１の実施形態において複数作成された印刷パターンからユーザにより選択された印刷パターンに対応する印刷フォーマットに合わせて、個人情報を構成する各項目を複数の個人情報毎に配置して、印刷パターンを複数作成する処理を行っているがこれに限られるものではない。例えば、第１の実施形態において複数作成された印刷パターンからユーザにより選択された印刷パターンに対応する印刷フォーマットではなく、制御回路５７は、ユーザの入力部５２の操作に基づき任意に選択された印刷フォーマットを取得する。そして、制御回路５７は、取得された印刷フォーマットに合わせて、個人情報を構成する各項目を複数の個人情報毎に配置して、印刷パターンを複数作成してもよい。これにより、ユーザは、印刷フォーマットを選択するだけで、複数の個人情報に基づき複数の印刷パターンを作成することができる。したがって、ユーザが複数の印刷パターンを作成する際の手間を省くことが可能となる。
【００７１】
上述した実施形態は、発明の理解を容易にするために具体例を示したものであり、本発明はこれらの実施形態に限定されるものではない。プログラム、制御方法、及び、印刷装置は、特許請求の範囲の記載を逸脱しない範囲において、さまざまな変形、変更が可能である。
【００７２】
なお、制御回路５７は、ユーザの入力部５２を通じた操作に基づき、ＲＯＭ５５に登録されている印刷フォーマットを編集することができる。これにより、印刷フォーマットのバリエーションを増やすことができる。
【００７３】
上述の実施形態では、印刷制御装置５０の制御回路５７は、ＲＯＭ５５に登録されている識別情報（個人情報）の中から、入力部５２に対するユーザの操作に基づき選択された識別情報（個人情報）を取得しているがこれに限られない。例えば、印刷装置１の制御回路５がＲＯＭ６に登録されている識別情報（個人情報）の中から、操作ボタン２６に対するユーザの操作に基づき選択された個人情報を取得してもよい。この場合、制御回路５は、識別情報（個人情報）を取得する識別情報取得部（識別情報取得手段）として機能する。
また、上述の実施形態では、制御回路５７は、複数種類の印刷フォーマットに合わせて少なくとも１つ、好ましくは、複数の印刷パターンを作成しているがこれに限られない。例えば、印刷装置１の制御回路５が、複数種類の印刷フォーマットに合わせて少なくとも１つ、好ましくは、複数の印刷パターンを作成してもよい。この場合、制御回路５は、印刷パターンを作成する作成部（作成手段）として機能する。
【００７４】
以下、本願の出願当初の特許請求の範囲に記載された発明を付記する。
［付記１］
印刷装置において印刷する印刷内容の印刷パターンを作成する印刷制御装置のコンピュータに、
１以上の項目によって構成される識別情報を取得し、
複数種類の印刷フォーマットに合わせて、前記取得された前記識別情報を構成する前記項目の少なくとも１つから前記印刷パターンを少なくとも１つ作成する
処理を実行させることを特徴とするプログラム。
【００７５】
［付記２］
前記識別情報として複数の個人情報を取得し、
前記作成した少なくとも１つの印刷パターンから選択された前記印刷パターンの印刷フォーマットに合わせて、前記取得された前記個人情報を構成する前記項目の少なくとも１つを前記複数の個人情報毎に配置して、前記印刷パターンを複数作成する
処理を実行させることを特徴とする付記１に記載のプログラム。
【００７６】
［付記３］
印刷装置において印刷する印刷内容の印刷パターンを作成する印刷制御装置のコンピュータに、
印刷フォーマットを取得し、
１以上の項目によって構成される複数の識別情報を取得し、
前記取得された前記印刷フォーマットに合わせて、前記取得された前記識別情報を構成する項目の少なくとも１つを前記複数の識別情報毎に配置して、前記印刷パターンを複数作成する
処理を実行させることを特徴とするプログラム。
【００７７】
［付記４］
前記取得する前記識別情報は、少なくとも個人の姓または名前を含む
ことを特徴とする付記１〜３のうち何れかに記載のプログラム。
【００７８】
［付記５］
前記印刷フォーマットは、文字またはキャラクタのサイズ、種別、レイアウト、装飾のうち少なくとも１つ以上の組み合わせにより構成される
ことを特徴とする付記１〜４のうち何れかに記載のプログラム。
【００７９】
［付記６］
前記作成された少なくとも１つの印刷パターンに基づき、前記印刷装置に対し一括して印刷処理を実行させる
ことを特徴とする付記１〜５のうち何れかに記載のプログラム。
【００８０】
［付記７］
ユーザの操作に基づき、前記印刷フォーマットを編集する
処理を実行させることを特徴とする付記１〜６のうち何れかに記載のプログラム。
【００８１】
［付記８］
印刷装置において印刷する印刷内容の印刷パターンを作成する印刷制御装置の制御方法であって、
１以上の項目によって構成される識別情報を取得し、
複数種類の印刷フォーマットに合わせて、前記取得された前記識別情報を構成する前記項目の少なくとも１つから前記印刷パターンを少なくとも１つ作成する
ことを特徴とする印刷制御装置の制御方法。
【００８２】
［付記９］
印刷装置において印刷する印刷内容の印刷パターンを作成する印刷制御装置の制御方法であって、
印刷フォーマットを取得し、
１以上の項目によって構成される複数の識別情報を取得し、
前記取得された前記印刷フォーマットに合わせて、前記取得された前記識別情報を構成する前記項目の少なくとも１つを前記複数の識別情報毎に配置して、前記印刷パターンを複数作成する
ことを特徴とする印刷制御装置の制御方法。
【００８３】
［付記１０］
１以上の項目によって構成される識別情報を取得する識別情報取得手段と、
複数種類の印刷フォーマットに合わせて、前記取得された前記識別情報を構成する前記項目の少なくとも１つから印刷パターンを少なくとも１つ作成する作成手段と、
を備えることを特徴とする印刷装置。
【００８４】
［付記１１］
１以上の項目によって構成される複数の識別情報を取得する識別情報取得手段と、
印刷フォーマットに合わせて、前記取得された前記識別情報を構成する項目の少なくとも１つを前記複数の識別情報毎に配置して、印刷パターンを複数作成する作成手段と、
を備えることを特徴とする印刷装置。
【符号の説明】
【００８５】
１・・・印刷装置、２・・・装置筐体、２ａ・・・排出口、３・・・開閉蓋、３ａ・・・窓、５・・・制御回路、５ａ・・・プロセッサ、６・・・ＲＯＭ、７・・・ＲＡＭ、８・・・通信インターフェース（ＩＦ）、９・・・ヘッド駆動回路、１０・・・サーマルヘッド、１０ａ・・・発熱素子、１１・・・搬送用モータ駆動回路、１２・・・ステッピングモータ、１３・・・サーミスタ、１４・・・カッターモータ駆動回路、１５・・・カッターモータ、１６・・・ハーフカット機構、１７・・・フルカット機構、１９・・・カセット収納部、２１・・・プラテンローラ、２４・・・テープ幅検出スイッチ、２５・・・電源ボタン、２６・・・操作ボタン、２７・・・蓋開閉ボタン、３０・・・テープカセット、４０・・・電源回路、５０・・・印刷制御装置、５１・・・表示部、５２・・・入力部、５３・・・表示駆動回路、５４・・・通信インターフェース（ＩＦ）、５５・・・ＲＯＭ、５６・・・ＲＡＭ、５７・・・制御回路、５８・・・プロセッサ、Ｍ・・・被印刷媒体、７１ａ〜７１ｋ、８１ａ〜８１ｆ・・・印刷パターン、１００・・・印刷システム
【図１】
2020047040.tif 000003
【図２】
2020047040.tif 000004
【図３】
2020047040.tif 000005
【図４】
2020047040.tif 000006
【図５】
2020047040.tif 000007
【図６】
2020047040.tif 000008
【図７】
2020047040.tif 000009
【図８】
2020047040.tif 000010
【図９】
2020047040.tif 000011